(57)【要約】【課題】相手側コネクタとの嵌合及び抜去を繰り返したとしても、ロック突起の摩耗を抑制することができるコネクタを提供する。【解決手段】コネクタは、コネクタ本体２００を少なくとも備えている。コネクタ本体２００は、保持部材３００と、複数のコンタクト４００と、２つのロック部５００とを備えている。ロック部５００は、被保持部と、バネ部５５０とを有している。被保持部は、保持部材３００に保持されている。バネ部５５０は、弾性変形可能であり、所定方向において被保持部から延びている。バネ部５５０は、第２方向において所定サイズを有しており、第２方向と直交する面内において所定厚みＰＴを有している。所定サイズは、所定厚みＰＴよりも大きい。バネ部５５０は、ロック突起５５２と、弾性支持部５５４とを有している。バネ部５５０の第１方向内側には、バネ部５５０の弾性変形を許容する空間２２０が設けられている。【選択図】図４
2020161257.tif 000002
【特許請求の範囲】
【請求項１】
相手側コネクタと所定方向に沿って嵌合可能なコネクタであって、
前記相手側コネクタは、相手側ロック部を有しており、
前記コネクタは、コネクタ本体を少なくとも備えており、
前記コネクタ本体は、保持部材と、複数のコンタクトと、２つのロック部とを備えており、
前記保持部材は、板状部を有しており、
前記コンタクトは、前記保持部材に保持されており、
前記コンタクトは、接触部を有しており、
前記接触部は、前記板状部上において前記所定方向と直交する第１方向に並んでおり、前記所定方向及び前記第１方向の双方と直交する第２方向において前記板状部から露出しており、
前記ロック部は、被保持部と、バネ部とを有しており、
前記被保持部は、前記保持部材に保持されており、
前記バネ部は、弾性変形可能であり、前記所定方向において前記被保持部から延びており、
前記バネ部は、前記第２方向において所定サイズを有しており、前記第２方向と直交する面内において所定厚みを有しており、
前記所定サイズは、前記所定厚みよりも大きく、
前記バネ部は、ロック突起と、弾性支持部とを有しており、
前記ロック突起は、前記第１方向外側に突出しており、
前記ロック突起と前記相手側ロック部とは、前記コネクタと前記相手側コネクタとの嵌合状態をロックするものであり、
前記弾性支持部は、前記ロック突起を支持しており、
前記バネ部の前記第１方向内側には、前記バネ部の弾性変形を許容する空間が設けられている
コネクタ。
【請求項２】
請求項１記載のコネクタであって、
前記空間は、前記第２方向における両側において外部と通じており、第２方向に沿って前記コネクタ本体を見た場合に、少なくとも部分的に視認可能となっている
コネクタ。
【請求項３】
請求項１又は請求項２記載のコネクタであって、
前記ロック部は、前記バネ部の先端に設けられた付加的被保持部を更に有しており、
前記付加的被保持部は、前記保持部材に保持されている
コネクタ。
【請求項４】
請求項１から請求項３までのいずれかに記載のコネクタであって、
前記コネクタ本体は、ミッドプレートを更に備えており、
前記コンタクトは、２列のコンタクト列を構成しており、
前記コンタクト列の夫々を構成する前記コンタクトは、前記第１方向に並んでおり、
前記コンタクト列は、前記第２方向に離間配置されており、
前記ミッドプレートは、前記第２方向において前記コンタクト列の間に位置するように、前記保持部材に保持されており、
前記ロック部は、前記ミッドプレートから延びて一体に形成されている
コネクタ。
【請求項５】
請求項１又は請求項２記載のコネクタであって、
前記ロック部は、前記被保持部のみにおいて前記保持部材に保持されている
コネクタ。
【請求項６】
請求項５記載のコネクタであって、
前記コネクタ本体は、前記バネ部の先端を保護する保護部を更に備えており、
前記保護部は、前記保持部材に保持されており、
前記バネ部の前記先端は、前記所定方向において前記保護部の先端と前記被保持部との間に位置している
コネクタ。
【請求項７】
請求項５記載のコネクタであって、
前記コネクタ本体は、規制部を更に備えており、
前記規制部は、前記保持部材に保持されており、
前記規制部は、前記バネ部の先端の前記第２方向への移動を規制している
コネクタ。
【請求項８】
請求項７記載のコネクタであって、
前記バネ部の前記先端には、二股に分かれた被規制部が設けられており、
前記規制部は、前記第２方向において前記被規制部に挟まれている
コネクタ。
【請求項９】
請求項５から請求項８までのいずれかに記載のコネクタであって、
前記複数のコンタクトには、少なくとも一つのグランド端子が含まれており、
前記ロック部は、接続部を有しており、
前記接続部は、前記グランド端子に接続されている
コネクタ。
【請求項１０】
請求項５から請求項９までのいずれかに記載のコネクタであって、
前記コネクタ本体は、ミッドプレートを更に備えており、
前記コンタクトは、２列のコンタクト列を構成しており、
前記コンタクト列の夫々を構成する前記コンタクトは、前記第１方向に並んでおり、
前記コンタクト列は、前記第２方向に離間配置されており、
前記ミッドプレートは、前記第２方向において前記コンタクト列の間に位置するように、前記保持部材に保持されており、
前記ミッドプレートは、前記ロック部とは別体となっており、
前記ロック部は、付加的接続部を有しており、
前記付加的接続部は、前記ミッドプレートに接続されている
コネクタ。
【請求項１１】
請求項１から請求項１０までのいずれかに記載のコネクタであって、
前記ロック突起は、第１曲げ部と、スライド面と、第２曲げ部とを有しており、
前記スライド面は、前記所定方向において前記第１曲げ部と前記第２曲げ部とを連結している
コネクタ。
【発明の詳細な説明】
【技術分野】
【０００１】
本発明は、ロック部を有するコネクタ本体を備えるコネクタに関する。
【背景技術】
【０００２】
特許文献１は、この種のコネクタ９００を開示している。図２０及び図２１に示されるように、特許文献１のコネクタ９００は、相手側コネクタ９５０とＸ方向に沿って嵌合可能である。相手側コネクタ９５０は、相手側ロック部９５２を有している。コネクタ９００は、コネクタ本体９１０を備えている。コネクタ本体９１０は、保持部材９２０と、複数のコンタクト（図示せず）と、２つの複合プレート９２５とを備えている。複合プレート９２５は、金属板を打ち抜き加工し、且つ曲げ加工して形成されている。複合プレート９２５は、ロック部９３０を備えている。ロック部９３０は、被保持部９３２と、バネ部９３６とを有している。被保持部９３２は、保持部材９２０に保持されている。バネ部９３６は、Ｘ方向において被保持部９３２から延びている。バネ部９３６は、ロック突起９３７と、弾性支持部９３９とを有している。ロック突起９３７と相手側ロック部９５２とは、コネクタ９００と相手側コネクタ９５０との嵌合状態をロックするものである。ロック突起９３７は、Ｙ方向外側に突出している。弾性支持部９３９は、弾性変形可能であり、ロック突起９３７を支持している。弾性支持部９３９のＹ方向内側には、弾性支持部９３９の弾性変形を許容する空間９４０が設けられている。
【先行技術文献】
【特許文献】
【０００３】
【特許文献１】特開２０１７−９８０５２号公報
【発明の概要】
【発明が解決しようとする課題】
【０００４】
コネクタ９００において、弾性支持部９３９は、ロック突起９３７が受ける力に応じてＹ方向内側に弾性変形する。これにより、コネクタ９００と相手側コネクタ９５０とが嵌合及び抜去する際の、コネクタ９００のロック突起９３７と相手側コネクタ９５０の相手側ロック部９５２との間に生じる摩擦力は、弾性支持部９３９が変位不可能に形成されている場合と比べて低減されている。
【０００５】
然しながら、上述のように、コネクタ９００の複合プレート９２５は、金属板を打ち抜き加工して形成されていることから、コネクタ９００のロック突起９３７の外面は、破断面となっている。これにより、コネクタ９００に対して相手側コネクタ９５０の嵌合及び抜去を繰り返した場合、コネクタ９００のロック突起９３７は、相手側コネクタ９５０の相手側ロック部９５２との接触を繰り返して摩耗してしまう虞がある。
【０００６】
そこで、本発明は、相手側コネクタとの嵌合及び抜去を繰り返したとしても、ロック突起の摩耗を抑制することができるコネクタを提供することを目的とする。
【課題を解決するための手段】
【０００７】
本発明は、第１のコネクタとして、
相手側コネクタと所定方向に沿って嵌合可能なコネクタであって、
前記相手側コネクタは、相手側ロック部を有しており、
前記コネクタは、コネクタ本体を少なくとも備えており、
前記コネクタ本体は、保持部材と、複数のコンタクトと、２つのロック部とを備えており、
前記保持部材は、板状部を有しており、
前記コンタクトは、前記保持部材に保持されており、
前記コンタクトは、接触部を有しており、
前記接触部は、前記板状部上において前記所定方向と直交する第１方向に並んでおり、前記所定方向及び前記第１方向の双方と直交する第２方向において前記板状部から露出しており、
前記ロック部は、被保持部と、バネ部とを有しており、
前記被保持部は、前記保持部材に保持されており、
前記バネ部は、弾性変形可能であり、前記所定方向において前記被保持部から延びており、
前記バネ部は、前記第２方向において所定サイズを有しており、前記第２方向と直交する面内において所定厚みを有しており、
前記所定サイズは、前記所定厚みよりも大きく、
前記バネ部は、ロック突起と、弾性支持部とを有しており、
前記ロック突起は、前記第１方向外側に突出しており、
前記ロック突起と前記相手側ロック部とは、前記コネクタと前記相手側コネクタとの嵌合状態をロックするものであり、
前記弾性支持部は、前記ロック突起を支持しており、
前記バネ部の前記第１方向内側には、前記バネ部の弾性変形を許容する空間が設けられている
コネクタを提供する。
【０００８】
また、本発明は、第２のコネクタとして、第１のコネクタであって、
前記空間は、前記第２方向における両側において外部と通じており、第２方向に沿って前記コネクタ本体を見た場合に、少なくとも部分的に視認可能となっている
コネクタを提供する。
【０００９】
また、本発明は、第３のコネクタとして、第１又は第２のコネクタであって、
前記ロック部は、前記バネ部の先端に設けられた付加的被保持部を更に有しており、
前記付加的被保持部は、前記保持部材に保持されている
コネクタを提供する。
【００１０】
また、本発明は、第４のコネクタとして、第１から第３までのいずれかのコネクタであって、
前記コネクタ本体は、ミッドプレートを更に備えており、
前記コンタクトは、２列のコンタクト列を構成しており、
前記コンタクト列の夫々を構成する前記コンタクトは、前記第１方向に並んでおり、
前記コンタクト列は、前記第２方向に離間配置されており、
前記ミッドプレートは、前記第２方向において前記コンタクト列の間に位置するように、前記保持部材に保持されており、
前記ロック部は、前記ミッドプレートから延びて一体に形成されている
コネクタを提供する。
【００１１】
また、本発明は、第５のコネクタとして、第１又は第２のコネクタであって、
前記ロック部は、前記被保持部のみにおいて前記保持部材に保持されている
コネクタを提供する。
【００１２】
また、本発明は、第６のコネクタとして、第５のコネクタであって、
前記コネクタ本体は、前記バネ部の先端を保護する保護部を更に備えており、
前記保護部は、前記保持部材に保持されており、
前記バネ部の前記先端は、前記所定方向において前記保護部の先端と前記被保持部との間に位置している
コネクタを提供する。
【００１３】
また、本発明は、第７のコネクタとして、第５のコネクタであって、
前記コネクタ本体は、規制部を更に備えており、
前記規制部は、前記保持部材に保持されており、
前記規制部は、前記バネ部の先端の前記第２方向への移動を規制している
コネクタを提供する。
【００１４】
また、本発明は、第８のコネクタとして、第７のコネクタであって、
前記バネ部の前記先端には、二股に分かれた被規制部が設けられており、
前記規制部は、前記第２方向において前記被規制部に挟まれている
コネクタを提供する。
【００１５】
また、本発明は、第９のコネクタとして、第５から第８までのいずれかのコネクタであって、
前記複数のコンタクトには、少なくとも一つのグランド端子が含まれており、
前記ロック部は、接続部を有しており、
前記接続部は、前記グランド端子に接続されている
コネクタを提供する。
【００１６】
また、本発明は、第１０のコネクタとして、第５から第９までのいずれかのコネクタであって、
前記コネクタ本体は、ミッドプレートを更に備えており、
前記コンタクトは、２列のコンタクト列を構成しており、
前記コンタクト列の夫々を構成する前記コンタクトは、前記第１方向に並んでおり、
前記コンタクト列は、前記第２方向に離間配置されており、
前記ミッドプレートは、前記第２方向において前記コンタクト列の間に位置するように、前記保持部材に保持されており、
前記ミッドプレートは、前記ロック部とは別体となっており、
前記ロック部は、付加的接続部を有しており、
前記付加的接続部は、前記ミッドプレートに接続されている
コネクタを提供する。
【００１７】
また、本発明は、第１１のコネクタとして、第１から第１０までのいずれかのコネクタであって、
前記ロック突起は、第１曲げ部と、スライド面と、第２曲げ部とを有しており、
前記スライド面は、前記所定方向において前記第１曲げ部と前記第２曲げ部とを連結している
コネクタを提供する。
【発明の効果】
【００１８】
本発明のコネクタにおいては、バネ部は、第２方向において所定サイズを有しており、第２方向と直交する面内において所定厚みを有している。また、所定サイズは、所定厚みよりも大きくなっている。これにより、本発明のコネクタは、相手側コネクタとの嵌合及び抜去を繰り返したとしても、ロック突起の摩耗を抑制することができる。
【図面の簡単な説明】
【００１９】
【図１】本発明の第１の実施の形態によるコネクタを示す斜視図である。
【図２】図１のコネクタに含まれるコネクタ本体を示す斜視図である。
【図３】図２のコネクタ本体を示す別の斜視図である。図において、コンタクトは省略されている。
【図４】図２のコネクタ本体を示す上面図である。図において、コネクタ本体の一部を拡大して示している。
【図５】図２のコネクタ本体を示す斜視断面図である。
【図６】図２のコネクタ本体に含まれるミッドプレート及びロック部を示す斜視図である。図において、バネ部の一部を拡大して示している。
【図７】本発明の第１の実施の形態による相手側コネクタを示す斜視図である。
【図８】図７の相手側コネクタを示す正面図である。
【図９】図８の相手側コネクタをＡ−Ａ線に沿って示す断面図である。
【図１０】本発明の第２の実施の形態によるコネクタを示す斜視図である。
【図１１】図１０のコネクタに含まれるコネクタ本体を示す斜視図である。図において、コネクタ本体の一部を拡大して示している。
【図１２】図１１のコネクタ本体を示す斜視断面図である。
【図１３】図１１のコネクタ本体を示す上面図である。図において、コネクタ本体の一部を拡大して示している。
【図１４】図１１のコネクタ本体に含まれるロック部の一方を示す斜視図である。
【図１５】図１４のロック部を示す上面図である。
【図１６】図１４のロック部を示す外側面図である。
【図１７】図１４のロック部を示す内側面図である。
【図１８】図１４のロック部を示す正面図である。
【図１９】図１４のロック部を示す背面図である。
【図２０】特許文献１のコネクタ及び相手側コネクタを示す断面図である。ここで、コネクタと相手側コネクタとは、互いに嵌合していない。
【図２１】図１７のコネクタ及び相手側コネクタを示す別の断面図である。ここで、コネクタと相手側コネクタとは互いに嵌合している。
【発明を実施するための形態】
【００２０】
（第１の実施の形態）
図１及び図７を参照して、本発明の第１の実施の形態によるコネクタ１００は、相手側コネクタ７００と所定方向に沿って嵌合可能なものである。本実施の形態において、所定方向は前後方向である。図において、前後方向はＸ方向として示される。特に、前方を＋Ｘ方向とし、後方を−Ｘ方向とする。
【００２１】
図９に示されるように、本実施の形態の相手側コネクタ７００は、相手側収容部７０５と、相手側嵌合部７０８と、相手側保持部材７２０と、相手側ロック部７１０と、相手側コンタクト７３０と、グランドバネ７４０とを有している。
【００２２】
図８及び図９に示されるように、本実施の形態の相手側収容部７０５は、後端が開口した、前後方向に延びる空間である。
【００２３】
図９に示されるように、本実施の形態の相手側嵌合部７０８は、前後方向において相手側コネクタ７００の後端に位置している。図８に示されるように、相手側嵌合部７０８は、前後方向と直交する面内において相手側収容部７０５を包囲している。
【００２４】
図８を参照して、本実施の形態の相手側保持部材７２０は、絶縁体からなるものである。
【００２５】
図９に示されるように、本実施の形態の相手側ロック部７１０は、相手側保持部材７２０に保持されている。相手側ロック部７１０は、相手側ロック面７１２を有している。
【００２６】
図９を参照して、本実施の形態の相手側コンタクト７３０は、金属製であり、相手側保持部材７２０に保持されている。図８に示されるように、相手側コンタクト７３０は、相手側収容部７０５内に突出している。
【００２７】
図９を参照して、本実施の形態のグランドバネ７４０は、金属製であり、相手側保持部材７２０に保持されている。図８に示されるように、グランドバネ７４０は、相手側収容部７０５内に突出している。
【００２８】
図１に示されるように、本実施の形態のコネクタ１００は、コネクタ本体２００と、シェル６５０とを有している。なお本発明はこれに限定されず、コネクタ１００はコネクタ本体２００を少なくとも備えていればよい。
【００２９】
図２及び図５に示されるように、本実施の形態のコネクタ本体２００は、保持部材３００と、複数のコンタクト４００と、ミッドプレート６００と、２つのロック部５００とを備えている。
【００３０】
図２を参照して、本実施の形態の保持部材３００は、絶縁部材からなり、板状部３１０と、中間部３３０と、基部３２０とを有している。
【００３１】
図２に示されるように、本実施の形態の板状部３１０は、前後方向及び前後方向と直交する第１方向で規定される平面内に延びる平板形状を有している。本実施の形態において、第１方向は、左右方向である。図において、左右方向はＹ方向として示される。板状部３１０は、コネクタ１００と相手側コネクタ７００とが嵌合した際に、相手側収容部７０５に収容される。
【００３２】
図２に示されるように、本実施の形態の中間部３３０は、前後方向、即ち所定方向において板状部３１０と基部３２０との間に位置している。即ち、中間部３３０は、前後方向において、板状部３１０の後方に位置しており、且つ、基部３２０の前方に位置している。中間部３３０は、前後方向と直交する方向において、板状部３１０よりも大きな外周を有している。中間部３３０は、コネクタ１００と相手側コネクタ７００とが嵌合した際に、相手側収容部７０５に収容される。
【００３３】
図２に示されるように、本実施の形態の基部３２０は、コネクタ本体２００の前後方向における後端を規定している。基部３２０は、前後方向と直交する方向において、中間部３３０よりも大きな外周を有している。
【００３４】
図２に示されるように、本実施の形態のコンタクト４００は、保持部材３００に保持されている。図２を参照して、本実施の形態のコンタクト４００は、２列のコンタクト列４５０を構成している。コンタクト列４５０の夫々を構成するコンタクト４００は、左右方向、即ち第１方向に並んでいる。２列のコンタクト列４５０は、前後方向及び左右方向の双方と直交する第２方向に離間配置されている。即ち、２列のコンタクト列４５０は、所定方向及び第１方向の双方と直交する第２方向に離間配置されている。本実施の形態において、第２方向は上下方向である。図において、上下方向はＺ方向として示される。特に、上方を＋Ｚ方向とし、下方を−Ｚ方向とする。複数のコンタクト４００には、複数のグランド端子４１０が含まれている。なお本発明はこれに限定されず、複数のコンタクト４００には、少なくとも一つのグランド端子４１０が含まれていればよい。
【００３５】
図２を参照して、コンタクト４００は、導電体からなり、接触部４２０を有している。接触部４２０は、保持部材３００の板状部３１０上において、左右方向、即ち第１方向に並んでいる。接触部４２０は、前後方向及び左右方向の双方と直交する上下方向において板状部３１０から露出している。即ち、接触部４２０は、所定方向及び第１方向の双方と直交する第２方向において板状部３１０から露出している。接触部４２０は、コネクタ１００と相手側コネクタ７００とが嵌合した際に、相手側コンタクト７３０に接続される。
【００３６】
図６を参照して、本実施の形態のミッドプレート６００及びロック部５００は、一枚の金属板を打ち抜き加工し、更に曲げ加工して作製されている。
【００３７】
図２及び図５を参照して、本実施の形態のミッドプレート６００は、上下方向、即ち第２方向においてコンタクト列４５０の間に位置するように、保持部材３００に保持されている。具体的には、ミッドプレート６００は、インサート成型法により、保持部材３００の成型時に保持部材３００に組み込まれている。そのため、ミッドプレート６００は、保持部材３００に埋め込まれている。
【００３８】
図５に示されるように、本実施の形態のミッドプレート６００は、ミッドプレート主部６０５と、２つの連結部６１０とを有している。
【００３９】
図６に示されるように、本実施の形態のミッドプレート主部６０５は、上下方向と直交する平板形状を有している。
【００４０】
図６に示されるように、本実施の形態の連結部６１０は、ミッドプレート６００の左右方向両端に夫々位置している。連結部６１０は、ミッドプレート主部６０５から左右方向外側に延びた後、下方に延びている。連結部６１０は、ミッドプレート主部６０５とロック部５００とを連結している。
【００４１】
図２に示されるように、本実施の形態のロック部５００は、保持部材３００の板状部３１０の左右方向両側に夫々位置している。図５に示されるように、本実施の形態のロック部５００は、ミッドプレート６００から延びて一体に形成されている。即ち、ロック部５００は、ミッドプレート６００の連結部６１０の前端から前方に延びている。
【００４２】
図６に示されるように、ロック部５００の夫々は、被保持部５１０と、バネ部５５０とを有している。
【００４３】
図５に示されるように、本実施の形態の被保持部５１０は、保持部材３００に保持されている。具体的には、被保持部５１０は、インサート成型法により、保持部材３００の成型時に保持部材３００に組み込まれている。そのため、被保持部５１０は、保持部材３００に埋め込まれている。
【００４４】
図６に示されるように、被保持部５１０は、前後方向、即ち所定方向において、ミッドプレート６００の連結部６１０の前端から前方に延びている。被保持部５１０は、ロック部５００の前後方向における後端を規定している。
【００４５】
図６を参照して、本実施の形態のバネ部５５０は、弾性変形可能であり、前後方向、即ち所定方向において被保持部５１０から延びている。より詳しくは、バネ部５５０は、前後方向において被保持部５１０の前端から前方に延びている。図４に示されるように、バネ部５５０は、上下方向、即ち、第２方向と直交する面内において所定厚みＰＴを有している。また、図６に示されるように、バネ部５５０は、上下方向、即ち第２方向において所定サイズＰＳを有している。ここで、上述のように、ロック部５００は、一枚の金属板を打ち抜き加工し、更に曲げ加工して作製されていることから、所定サイズＰＳは、所定厚みＰＴよりも大きくなっている。
【００４６】
図６に示されるように、本実施の形態のバネ部５５０は、先端５５１と、ロック突起５５２と、弾性支持部５５４とを有している。
【００４７】
図６に示されるように、本実施の形態の先端５５１は、前後方向におけるバネ部５５０の前端である。
【００４８】
図４及び図９から理解されるように、本実施の形態において、ロック突起５５２と相手側ロック部７１０とは、コネクタ１００と相手側コネクタ７００との嵌合状態をロックするものである。図６に示されるように、ロック突起５５２は、左右方向、即ち第１方向外側に突出している。ロック突起５５２は、第１スライド面５５２１と、第１曲げ部５５２２と、第２スライド面（スライド面）５５２４と、第２曲げ部５５２６と、ロック面５５２７と、第１面５５２８と、第２面５５２９とを有している。
【００４９】
図６に示されるように、本実施の形態の第１スライド面５５２１は、前後方向及び左右方向の双方と交差している。より詳しくは、第１スライド面５５２１は、前後方向における前方であって左右方向内側に延びている。第１スライド面５５２１は、前後方向における前方且つ左右方向外側に向いた平面である。第１スライド面５５２１は、前後方向においてロック突起５５２の前端に位置している。
【００５０】
図６に示されるように、本実施の形態の第１曲げ部５５２２は、第１スライド面５５２１と第２スライド面５５２４とを連結している。第１曲げ部５５２２は、第１スライド面５５２１の後端に連結されている。第１曲げ部５５２２は、第２スライド面５５２４の前端に連結されている。
【００５１】
図６に示されるように、本実施の形態の第２スライド面（スライド面）５５２４は、左右方向外側に向いた平面である。スライド面５５２４は、前後方向、即ち所定方向において第１曲げ部５５２２と前記第２曲げ部５５２６とを連結している。第２スライド面５５２４は、第１曲げ部５５２２の後端に連結されている。第２スライド面５５２４は、第２曲げ部５５２６の前端に連結されている。
【００５２】
図６に示されるように、本実施の形態の第２曲げ部５５２６は、第２スライド面５５２４とロック面５５２７とを連結している。第２曲げ部５５２６は、第２スライド面５５２４の後端に連結されている。第２曲げ部５５２６は、ロック面５５２７の前端に連結されている。
【００５３】
図６に示されるように、本実施の形態のロック面５５２７は、前後方向における後方且つ左右方向における外側に向いた曲面である。ロック面５５２７は、第２曲げ部５５２６と弾性支持部５５４とを連結している。ロック面５５２７は、第２曲げ部５５２６の後端に連結されている。ロック面５５２７は、弾性支持部５５４の前端に連結されている。ロック面５５２７は、コネクタ１００と相手側コネクタ７００とが嵌合した際に、相手側ロック部７１０の相手側ロック面７１２と、前後方向、即ち所定方向において対向することにより、コネクタ１００と相手側コネクタ７００との嵌合状態をロックする。
【００５４】
上述のように、ロック部５００は、一枚の金属板を打ち抜き加工し、更に曲げ加工して作製されている。これにより、本実施の形態の第１スライド面５５２１、第２スライド面５５２４及びロック面５５２７の夫々は、圧延面である。即ち、本実施の形態の第１スライド面５５２１、第２スライド面５５２４及びロック面５５２７の夫々は、破断面ではない。
【００５５】
図６に示されるように、本実施の形態の第１面５５２８は、上下方向においてロック突起５５２の上端を規定している。第１面５５２８は、上下方向において上方に向いた面である。
【００５６】
図６を参照して、本実施の形態の第２面５５２９は、上下方向においてロック突起５５２の下端を規定している。第２面５５２９は、上下方向において下方に向いた面である。
【００５７】
上述のように、ロック部５００は、一枚の金属板を打ち抜き加工し、更に曲げ加工して作製されている。これにより、本実施の形態の第１面５５２８及び第２面５５２９の夫々は、破断面である。即ち、本実施の形態の第１面５５２８及び第２面５５２９の夫々は、圧延面ではない。
【００５８】
図６に示されるように、本実施の形態の弾性支持部５５４は、ロック突起５５２を支持している。弾性支持部５５４は、ロック突起５５２と被保持部５１０とを連結している。弾性支持部５５４は、ロック突起５５２の後端から後方に延びている。弾性支持部５５４は、被保持部５１０の前端から前方に延びている。
【００５９】
図４に示されるように、バネ部５５０の左右方向内側、即ち第１方向内側には、バネ部５５０の弾性変形を許容する空間２２０が設けられている。図４から理解されるように、空間２２０は、上下方向、即ち第２方向における両側において外部と通じており、上下方向、即ち第２方向に沿ってコネクタ本体２００を見た場合に、少なくとも部分的に視認可能となっている。即ち、空間２２０は、上方及び下方の両側において外部と通じている。また、空間２２０は、上下方向における上方からコネクタ本体２００を見た場合においても、上下方向における下方からコネクタ本体２００を見た場合においても、少なくとも部分的に視認可能となっている。
【００６０】
図５に示されるように、本実施の形態のロック部５００は、バネ部５５０の先端５５１に設けられた付加的被保持部５５６を更に有している。付加的被保持部５５６は、保持部材３００に保持されている。より詳しくは、付加的被保持部５５６は、保持部材３００の板状部３１０の前端付近に保持されている。付加的被保持部５５６は、インサート成型法により、保持部材３００の成型時に保持部材３００に組み込まれている。そのため、付加的被保持部５５６は、保持部材３００に埋め込まれている。これにより、コネクタ１００と相手側コネクタ７００とを嵌合させた際に、相手側コネクタ７００の相手側ロック部７１０がバネ部５５０の先端５５１に突き当たっても、バネ部５５０が過剰に変形しないように構成されている。
【００６１】
図１に示されるように、本実施の形態のシェル６５０は、前後方向と直交する面内においてコネクタ本体２００を包囲している。シェル６５０は、コネクタ本体２００に取り付けられている。より詳しくは、シェル６５０は、コネクタ本体２００の保持部材３００の基部３２０に取り付けられている。シェル６５０は、前後方向において前方に開口した収容部６５２を有している。収容部６５２は、コネクタ１００と相手側コネクタ７００とが嵌合した際に、相手側嵌合部７０８を収容する。
【００６２】
（第２の実施の形態）
図１０に示されるように、本発明の第２の実施の形態によるコネクタ１００Ａは、相手側コネクタ（図示せず）と所定方向に沿って嵌合可能なものである。ここで、本実施の形態によるコネクタ１００Ａは、上述した第１の実施の形態によるコネクタ１００（図１参照）と同様な構成を備えている。そのため、図１０から図１９までに示される構成要素のうち、第１の実施の形態と同様の構成要素に対しては同一の参照符号を付すこととする。また、本実施の形態の相手側コネクタは、上述した第１の実施の形態による相手側コネクタ７００（図７参照）と同様な構成を備えているため、詳細な説明を省略する。更に、本実施の形態における方位及び方向は、第１の実施の形態のものと同じ表現を以下において使用する。
【００６３】
図１０に示されるように、本実施の形態のコネクタ１００Ａは、コネクタ本体２００Ａと、シェル６５０とを有している。なお本発明はこれに限定されず、コネクタ１００Ａは、コネクタ本体２００Ａを少なくとも備えていればよい。
【００６４】
図１１及び図１２に示されるように、本実施の形態のコネクタ本体２００Ａは、保持部材３００Ａと、複数のコンタクト４００と、ミッドプレート６００Ａと、２つのロック部５００Ａとを備えている。ここで、本実施の形態のコンタクト４００は、第１の実施の形態のコンタクト４００（図２参照）と同様な構造を有しているため、詳細な説明を省略する。
【００６５】
図１１に示されるように、本実施の形態の保持部材３００Ａは、板状部３１０Ａと、中間部３３０Ａと、基部３２０Ａとを有している。ここで、本実施の形態の基部３２０Ａは、上述した第１の実施の形態の基部３２０と概ね同様の構成を備えている。よって詳細な説明を省略する。
【００６６】
図１１に示されるように、本実施の形態の板状部３１０Ａは、前後方向及び左右方向で規定される平面内に延びる平板形状を有している。板状部３１０Ａは、コネクタ１００Ａと相手側コネクタとが嵌合した際に、相手側コネクタの相手側収容部（図示せず）に収容される。
【００６７】
図１１に示されるように、本実施の形態の中間部３３０Ａは、前後方向、即ち所定方向において、板状部３１０Ａと基部３２０Ａとの間に位置している。即ち、中間部３３０Ａは、前後方向において、板状部３１０Ａの後方に位置しており、且つ、基部３２０Ａの前方に位置している。中間部３３０Ａは、前後方向と直交する方向において、板状部３１０Ａよりも大きな外周を有している。中間部３３０Ａは、コネクタ１００Ａと相手側コネクタとが嵌合した際に、相手側収容部に収容される。
【００６８】
図１３を参照して、本実施の形態の中間部３３０Ａは、４つ突出部３３２と、４つの露出孔３３６とを有している。
【００６９】
図１３を参照して、４つ突出部３３２は、中間部３３０Ａの上面上に位置する２つの突出部３３２と、中間部３３０Ａの下面上に位置する２つの突出部３３２とで構成されている。突出部３３２の夫々は、上下方向外側に突出している。突出部３３２の夫々は、保持部材側対向部３３４を有している。保持部材側対向部３３４は、左右方向において内側に向いた面である。
【００７０】
図１３を参照して、４つの露出孔３３６は、中間部３３０Ａの上面上に位置する２つの露出孔３３６と、中間部３３０Ａの下面上に位置する２つの露出孔３３６とで構成されている。コネクタ本体２００Ａを上下方向に沿って見た場合、グランド端子４１０の一部は、露出孔３３６を介して視認可能となっている。即ち、グランド端子４１０の一部は、露出孔３３６から中間部３３０Ａの外部に露出している。
【００７１】
図１２を参照して、本実施の形態のミッドプレート６００Ａは、一枚の金属板を打ち抜き加工して作製されている。ミッドプレート６００Ａは、ロック部５００Ａとは別体となっている。ミッドプレート６００Ａは、ロック部５００Ａと同じ材料で構成されている。なお、本発明はこれに限定されず、ロック部５００Ａは、ミッドプレート６００Ａよりも硬い材料で構成されていてもよい。
【００７２】
図１１及び図１２を参照して、本実施の形態のミッドプレート６００Ａは、上下方向、即ち第２方向においてコンタクト列４５０の間に位置するように、保持部材３００Ａに保持されている。具体的には、ミッドプレート６００Ａは、インサート成型法により、保持部材３００Ａの成型時に保持部材３００Ａに組み込まれている。そのため、ミッドプレート６００Ａは、保持部材３００Ａに埋め込まれている。
【００７３】
図１２に示されるように、本実施の形態のミッドプレート６００Ａは、ミッドプレート主部６０５Ａと、２つの被接続部６２０とを有している。
【００７４】
図１２に示されるように、本実施の形態のミッドプレート主部６０５Ａは、上下方向と直交する平板形状を有している。
【００７５】
図１２に示されるように、本実施の形態の被接続部６２０は、ミッドプレート６００Ａの左右方向両端に夫々位置している。被接続部６２０は、ミッドプレート主部６０５Ａから左右方向外側に延びている。被接続部６２０は、上下方向と直交する平板形状を有している。被接続部６２０の左右方向外端は、保持部材３００Ａの中間部３３０Ａの外部に露出している。
【００７６】
図１４を参照して、本実施の形態のロック部５００Ａは、一枚の金属板を打ち抜き加工し、更に曲げ加工して作製されている。なお、上述のように、本実施の形態のロック部５００Ａは、ミッドプレート６００Ａと同じ材料で構成されているが、本発明はこれに限定されず、ロック部５００Ａは、ミッドプレート６００Ａよりも硬い材料で構成されていてもよい。
【００７７】
図１３に示されるように、本実施の形態のロック部５００Ａは、保持部材３００Ａの板状部３１０Ａの左右方向両側に夫々位置している。図１４に示されるように、ロック部５００Ａの夫々は、被保持部５１０Ａと、バネ部５５０Ａと、接続部５７０と、被接続部収容部５７５とを有している。
【００７８】
図１８に示されるように、本実施の形態の被保持部５１０Ａは、左右方向、即ち第１方向において内側に延びている。被保持部５１０Ａは、前後方向、即ち所定方向に沿って見た場合、横倒しのＵ字形状を有している。図１５に示されるように、被保持部５１０Ａは、ロック部５００Ａの前後方向における後端を規定している。
【００７９】
図１４及び図１８に示されるように、被保持部５１０Ａは、２つの押圧部５１２と、２つの突出部収容部５１３とを有している。２つの押圧部５１２は、上下方向に間隔を空けて位置している。２つの突出部収容部５１３は、上下方向に間隔を空けて位置している。突出部収容部５１３の夫々は、上下方向に被保持部５１０Ａを貫通する孔であり、ロック部側対向部５１４を有している。ロック部側対向部５１４は、左右方向外側に向いた面である。
【００８０】
図１３に示されるように、被保持部５１０Ａは、保持部材３００Ａに保持されている。即ち、ロック部５００Ａは、被保持部５１０Ａのみにおいて保持部材３００Ａに保持されている。ここで、上方に位置する押圧部５１２は、保持部材３００Ａの中間部３３０Ａの上面を下方に押圧しており、下方に位置する押圧部５１２は、保持部材３００Ａの中間部３３０Ａの下面を上方に押圧している。また、上方に位置する突出部収容部５１３は、中間部３３０Ａの上面上に位置する２つの突出部３３２の一つを収容しており、下方に位置する突出部収容部５１３は、中間部３３０Ａの下面上に位置する２つの突出部３３２の一つを収容している。更に、上方に位置するロック部側対向部５１４は、左右方向において、上方に位置する突出部収容部５１３に収容された突出部３３２の保持部材側対向部３３４と対向しており、下方に位置するロック部側対向部５１４は、左右方向において、下方に位置する突出部収容部５１３に収容された突出部３３２の保持部材側対向部３３４と対向している。
【００８１】
図９及び図１３を参照して、本実施の形態の被保持部５１０Ａは、コネクタ１００Ａと相手側コネクタとが嵌合した際、相手側コネクタのグランドバネ（図示せず）と接触してグランド面を構成する。
【００８２】
図１４を参照して、本実施の形態のバネ部５５０Ａは、弾性変形可能であり、前後方向、即ち所定方向において被保持部５１０Ａから延びている。より詳しくは、バネ部５５０Ａは、前後方向において被保持部５１０Ａの前端から前方に延びている。図１３に示されるように、バネ部５５０Ａは、上下方向、即ち第２方向と直交する面内において所定厚みＰＴを有している。また、図１４に示されるように、バネ部５５０Ａは、上下方向、即ち第２方向において所定サイズＰＳを有している。ここで、上述のように、ロック部５００Ａは、一枚の金属板を打ち抜き加工し、更に曲げ加工して作製されていることから、所定サイズＰＳは、所定厚みＰＴよりも大きくなっている。
【００８３】
図１４に示されるように、本実施の形態のバネ部５５０Ａは、先端５５１Ａと、ロック突起５５２Ａと、弾性支持部５５４Ａとを有している。
【００８４】
図１４に示されるように、本実施の形態の先端５５１Ａは、前後方向におけるバネ部５５０Ａの前端である。
【００８５】
図９及び図１３から理解されるように、本実施の形態において、ロック突起５５２Ａと相手側コネクタの相手側ロック部（図示せず）とは、コネクタ１００Ａと相手側コネクタとの嵌合状態をロックするものである。ロック突起５５２Ａは、左右方向、即ち第１方向外側に突出している。ロック突起５５２Ａは、第１スライド面５５２１Ａと、第１曲げ部５５２２Ａと、第２スライド面（スライド面）５５２４Ａと、第２曲げ部５５２６Ａと、ロック面５５２７Ａと、第１面５５２８Ａと、第２面５５２９Ａとを有している。
【００８６】
図１３に示されるように、本実施の形態の第１スライド面５５２１Ａは、前後方向及び左右方向の双方と交差している。より詳しくは、第１スライド面５５２１Ａは、前後方向における前方であって左右方向内側に延びている。第１スライド面５５２１Ａは、左右方向における前方且つ左右方向外側に向いた平面である。第１スライド面５５２１Ａは、前後方向においてロック突起５５２Ａの前端に位置している。
【００８７】
図１３に示されるように、本実施の形態の第１曲げ部５５２２Ａは、第１スライド面５５２１Ａと第２スライド面５５２４Ａとを連結している。第１曲げ部５５２２Ａは、第１スライド面５５２１Ａの後端に連結されている。第１曲げ部５５２２Ａは、第２スライド面５５２４Ａの前端に連結されている。
【００８８】
図１３に示されるように、本実施の形態の第２スライド面（スライド面）５５２４Ａは、左右方向外側に向いた平面である。スライド面５５２４Ａは、前後方向、即ち所定方向において第１曲げ部５５２２Ａと前記第２曲げ部５５２６Ａとを連結している。第２スライド面５５２４Ａは、第１曲げ部５５２２Ａの後端に連結されている。第２スライド面５５２４Ａは、第２曲げ部５５２６Ａの前端に連結されている。
【００８９】
図１３に示されるように、本実施の形態の第２曲げ部５５２６Ａは、第２スライド面５５２４Ａとロック面５５２７Ａとを連結している。第２曲げ部５５２６Ａは、第２スライド面５５２４Ａの後端に連結されている。第２曲げ部５５２６Ａは、ロック面５５２７Ａの前端に連結されている。
【００９０】
図１３に示されるように、本実施の形態のロック面５５２７Ａは、前後方向における後方且つ左右方向における外側に向いた曲面である。ロック面５５２７Ａは、第２曲げ部５５２６Ａと弾性支持部５５４Ａとを連結している。ロック面５５２７Ａは、第２曲げ部５５２６Ａの後端に連結されている。ロック面５５２７Ａは、弾性支持部５５４Ａの前端に連結されている。ロック面５５２７Ａは、コネクタ１００Ａと相手側コネクタとが嵌合した際に、相手側ロック部の相手側ロック面（図示せず）と、前後方向、即ち所定方向において対向することにより、コネクタ１００Ａと相手側コネクタとの嵌合状態をロックする。
【００９１】
上述のように、ロック部５００Ａは、一枚の金属板を打ち抜き加工し、更に曲げ加工して作製されている。これにより、本実施の形態の第１スライド面５５２１Ａ、第２スライド面５５２４Ａ及びロック面５５２７Ａの夫々は、圧延面である。即ち、本実施の形態の第１スライド面５５２１Ａ、第２スライド面５５２４Ａ及びロック面５５２７Ａの夫々は、破断面ではない。
【００９２】
図１８に示されるように、本実施の形態の第１面５５２８Ａは、上下方向においてロック突起５５２Ａの上端を規定している。第１面５５２８Ａは、上下方向において上方に向いた面である。
【００９３】
図１８に示されるように、本実施の形態の第２面５５２９Ａは、上下方向においてロック突起５５２Ａの下端を規定している。第２面５５２９Ａは、上下方向において下方に向いた面である。
【００９４】
上述のように、ロック部５００Ａは、一枚の金属板を打ち抜き加工し、更に曲げ加工して作製されている。これにより、本実施の形態の第１面５５２８Ａ及び第２面５５２９Ａの夫々は、破断面である。即ち、本実施の形態の第１面５５２８Ａ及び第２面５５２９Ａの夫々は、圧延面ではない。
【００９５】
図１５に示されるように、本実施の形態の弾性支持部５５４Ａは、ロック突起５５２Ａを支持している。弾性支持部５５４Ａは、ロック突起５５２Ａと被保持部５１０Ａとを連結している。弾性支持部５５４Ａは、ロック突起５５２Ａの後端から後方に延びている。弾性支持部５５４Ａは、被保持部５１０Ａの前端から前方に延びている。
【００９６】
図１３に示されるように、バネ部５５０Ａの左右方向内側、即ち第１方向内側には、バネ部５５０Ａの弾性変形を許容する空間２２０Ａが設けられている。図１３から理解されるように、空間２２０Ａは、上下方向、即ち第２方向における両側において外部と通じており、上下方向、即ち第２方向に沿ってコネクタ本体２００Ａを見た場合に、少なくとも部分的に視認可能となっている。即ち、空間２２０Ａは、上方及び下方の両側において外部と通じている。また、空間２２０Ａは、上下方向における上方からコネクタ本体２００Ａを見た場合においても、上下方向における下方からコネクタ本体２００Ａを見た場合においても、少なくとも部分的に視認可能となっている。
【００９７】
図１５に示されるように、本実施の形態の接続部５７０は、被保持部５１０Ａに設けられている。接続部５７０は、ロック部５００Ａの後端に位置している。接続部５７０は、左右方向内側、即ち第１方向内側に延びている。図１３に示されるように、接続部５７０は、グランド端子４１０に接続されている。より詳しくは、接続部５７０は、保持部材３００Ａの中間部３３０Ａの露出孔３３６から露出しているグランド端子４１０の一部に接続されている。
【００９８】
図１６に示されるように、本実施の形態の被接続部収容部５７５は、被保持部５１０Ａを左右方向に貫通する孔である。被接続部収容部５７５は、その下端に付加的接続部５８０を有している。
【００９９】
図１６に示されるように、本実施の形態の付加的接続部５８０は、ロック部５００Ａの後端付近に位置している。図１４に示されるように、付加的接続部５８０は、上方に向いた面である。図１２に示されるように、付加的接続部５８０は、ミッドプレート６００Ａに接続されている。より詳しくは、付加的接続部５８０は、ミッドプレート６００Ａの被接続部６２０の左右方向外端に接続されている。
【０１００】
図１６に示されるように、本実施の形態のバネ部５５０Ａの先端５５１Ａには、二股に分かれた被規制部５５８が設けられている。より詳しくは、被規制部５５８は、上下方向、即ち第２方向において二股に分かれている。
【０１０１】
図１１及び図１２に示されるように、本実施の形態のコネクタ本体２００Ａは、バネ部５５０Ａの先端５５１Ａを保護する保護部２４０を更に備えている。
【０１０２】
図１１及び図１２に示されるように、本実施の形態の保護部２４０は、保持部材３００Ａに保持されている。より詳しくは、保護部２４０は、保持部材３００Ａの板状部３１０Ａの前端に保持されている。保護部２４０は、インサート成型法により、保持部材３００Ａの成型時に保持部材３００Ａに組み込まれている。そのため、保護部２４０の一部は、保持部材３００Ａに埋め込まれている。
【０１０３】
図１２に示されるように、保護部２４０は、ミッドプレート６００Ａと一体となっている。なお、本発明はこれに限定されず、保護部２４０は、ミッドプレート６００Ａと別体で構成されていてもよい。
【０１０４】
図１１に示されるように、保護部２４０は、先端２４２を有している。先端２４２は、前後方向における保護部２４０の前端である。バネ部５５０Ａの先端５５１Ａは、前後方向、即ち所定方向において保護部２４０の先端２４２と被保持部５１０Ａとの間に位置している。バネ部５５０Ａの先端５５１Ａは、前後方向において保護部２４０の先端２４２と第１曲げ部５５２２Ａとの間に位置している。
【０１０５】
図１１及び図１２に示されるように、本実施の形態のコネクタ本体２００Ａは、規制部２６０を更に備えている。
【０１０６】
図１１及び図１２に示されるように、本実施の形態の規制部２６０は、保持部材３００Ａに保持されている。より詳しくは、規制部２６０は、保持部材３００Ａの板状部３１０Ａの前端付近に保持されている。規制部２６０は、インサート成型法により、保持部材３００Ａの成型時に保持部材３００Ａに組み込まれている。そのため、規制部２６０の一部は、保持部材３００Ａに埋め込まれている。
【０１０７】
図１２に示されるように、規制部２６０は、ミッドプレート６００Ａと一体となっている。即ち、本実施の形態において、ミッドプレート６００Ａと、保護部２４０と、規制部２６０とは、一体となっている。なお、本発明はこれに限定されず、規制部２６０は、ミッドプレート６００Ａ及び保護部２４０と別体で構成されていてもよい。
【０１０８】
図１１に示されるように、規制部２６０は、上下方向、即ち第２方向においてバネ部５５０Ａの被規制部５５８に挟まれている。これにより、バネ部５５０Ａの先端５５１Ａは、上下方向、即ち第２方向への移動が規制されている。換言すれば、規制部２６０は、バネ部５５０Ａの先端５５１Ａの上下方向、即ち第２方向への移動を規制している。これにより、ロック部５００Ａが相手側ロック部と接触した際に、バネ部５５０Ａの座屈を防止でき、また、バネ部５５０Ａの上下方向への予期しない変形も防止できる。
【０１０９】
図１０に示されるように、本実施の形態のシェル６５０は、前後方向と直交する面内においてコネクタ本体２００Ａを部分的に包囲している。シェル６５０は、コネクタ本体２００Ａに取り付けられている。より詳しくは、シェル６５０は、コネクタ本体２００Ａの保持部材３００Ａの基部３２０Ａに取り付けられている。シェル６５０は、前後方向において前方に開口した収容部６５２を有している。収容部６５２は、コネクタ１００Ａと相手側コネクタとが嵌合した際に、相手側コネクタの相手側嵌合部（図示せず）を収容する。
【０１１０】
以上、本発明について、実施の形態を掲げて具体的に説明してきたが、本発明はこれに限定されるわけではなく、種々の変形が可能である。
【符号の説明】
【０１１１】
１００，１００Ａ            コネクタ
２００，２００Ａ            コネクタ本体
２２０，２２０Ａ            空間
２４０                      保護部
２４２                      先端
２６０                      規制部
３００，３００Ａ            保持部材
３１０，３１０Ａ            板状部
３２０，３２０Ａ            基部
３３０，３３０Ａ            中間部
３３２                      突出部
３３４                      保持部材側対向部
３３６                      露出孔
４００                      コンタクト
４１０                      グランド端子
４２０                      接触部
４５０                      コンタクト列
５００，５００Ａ            ロック部
５１０，５１０Ａ            被保持部
５１２                      押圧部
５１３                      突出部収容部
５１４                      ロック部側対向部
５５０，５５０Ａ            バネ部
５５１，５５１Ａ            先端
５５２，５５２Ａ            ロック突起
５５２１，５５２１Ａ        第１スライド面
５５２２，５５２２Ａ        第１曲げ部
５５２４，５５２４Ａ        第２スライド面（スライド面）
５５２６，５５２６Ａ        第２曲げ部
５５２７，５５２７Ａ        ロック面
５５２８，５５２８Ａ        第１面
５５２９，５５２９Ａ        第２面
５５４，５５４Ａ            弾性支持部
５５６                      付加的被保持部
５５８                      被規制部
５７０                      接続部
５７５                      被接続部収容部
５８０                      付加的接続部
６００，６００Ａ            ミッドプレート
６０５，６０５Ａ            ミッドプレート主部
６１０                      連結部
６２０                      被接続部
６５０                      シェル
６５２                      収容部
７００                      相手側コネクタ
７０５                      相手側収容部
７０８                      相手側嵌合部
７１０                      相手側ロック部
７１２                      相手側ロック面
７２０                      相手側保持部材
７３０                      相手側コンタクト
７４０                      グランドバネ
ＰＳ                        所定サイズ
ＰＴ                        所定厚み
【図１】
2020161257.tif 000003
【図２】
2020161257.tif 000004
【図３】
2020161257.tif 000005
【図４】
2020161257.tif 000006
【図５】
2020161257.tif 000007
【図６】
2020161257.tif 000008
【図７】
2020161257.tif 000009
【図８】
2020161257.tif 000010
【図９】
2020161257.tif 000011
【図１０】
2020161257.tif 000012
【図１１】
2020161257.tif 000013
【図１２】
2020161257.tif 000014
【図１３】
2020161257.tif 000015
【図１４】
2020161257.tif 000016
【図１５】
2020161257.tif 000017
【図１６】
2020161257.tif 000018
【図１７】
2020161257.tif 000019
【図１８】
2020161257.tif 000020
【図１９】
2020161257.tif 000021
【図２０】
2020161257.tif 000022
【図２１】
2020161257.tif 000023